(57)【要約】【課題】用途の広がりと便利性の向上を図ることができる車両用コンピュータのキーボードを提供する。【解決手段】ディスプレイ（２２）が車内の中央制御部（２１）に取り付けられ、その下方にはコンピュータ本体のスイッチ（２３）が併設され、主に、キーボード（３）がハンドル（２４）の中央部に取り付けられることにより、ディスプレイが、GPSナビゲーション内容のチェックおよび音楽を聴くこと以外、本体を起動して、キーボードを介して、各種のコンピュータ操作を可能とし、車両用ディスプレイの用途の広がり、且つ、使用上の便利性を図れる。【選択図】図２
0003135382.tif 000002
【実用新案登録請求の範囲】
【請求項１】
車両用コンピュータのキーボードであって、車内の中央制御部にディスプレイが取り付けられ、中央制御部の下方にコンピュータ本体のスイッチが設置され、また、コンピュータ本体が荷物ケースまたは座席の下方に設置されるか、または直接にディスプレイの下方に設置され、かつ、キーボードがハンドルの中央部に取り付けられることを特徴とする車両用コンピュータのキーボード。
【請求項２】
車両用コンピュータのキーボードであって、車内の中央制御部にディスプレイが取り付けられ、中央制御部の下方にコンピュータ本体のスイッチが設置され、また、コンピュータ本体が荷物ケースまたは座席の下方に設置されるか、または直接にディスプレイの下方に設置され、かつ、キーボードが運転席の隣の助席の前方にあるグローブボックスの上方に設置される一方、キーボードは、出し入れ自在な状態となっていることを特徴とする車両用コンピュータのキーボード。
【請求項３】
車両用コンピュータのキーボードであって、車内の中央制御部にディスプレイが取り付けられ、中央制御部の下方にコンピュータ本体のスイッチが設置され、また、コンピュータ本体が荷物ケースまたは座席の下方に設置されるか、または直接にディスプレイの下方に設置され、かつ、キーボードがグローブボックスの蓋体の内面側に取り付けることを特徴とする車両用コンピュータのキーボード。
【請求項４】
車両用コンピュータのキーボードであって、車内の中央制御部にディスプレイが取り付けられ、中央制御部の下方にコンピュータ本体のスイッチが設置され、また、コンピュータ本体が荷物ケースまたは座席の下方に設置されるか、または直接にディスプレイの下方に設置され、かつ、キーボードが背もたれの背面にある凹設されたスペースに設置されることで、収納・展開自在なものとなっていることを特徴とする車両用コンピュータのキーボード。
【考案の詳細な説明】
【技術分野】
【０００１】
本考案は車両用コンピュータのキーボードに係わり、特に中央制御部にコンピュータ本体のスイッチを取り付け、ハンドル、背もたれ、グローブボックスおよびグローブボックスの上側にキーボートを設置し、そして、ディスプレイに関する用途の広がり、且つ車両内におけるパソコン操作の便利性および安定性の達成を図るために、本体を起動した後、キーボートの操作を介して各種のコンピュータ作業を可能としたキーボードに関する。
【背景技術】
【０００２】
科学技術の進歩に伴い、経済の繁栄が動かされ、収入のアップにより人達が生活の品質を高めることができた。便利性と快適性を追求するため、乗用車の数が年々上昇し、消費者の購買欲を刺激するために、安全性と操縦性にのみならず、自動車メーカーが、運転をより便利にさせるために、次々と各種の付属機能を開発してきた。図１に示すように、車両１の中央制御部11にディスプレイ12が取り付けられ、テレビや映画を観るや、音楽を聴くという用途だけではなく、GPSナビゲーションのディスプレイとして、運転者や乗客が夫々の需要に応じて各種の操作をできるようになり、消費者に広く好まれている。また、通信業の発展により、人の仕事と生活上においてさらに使い勝手が向上され、ノートパソコンにネットワーク間の接続を提供することにより、携帯して移動できる作業環境が提供され、利用者がアウトドアにおいても、ノートパソコンを介して随時に連絡、またはその他の作業をできるようになる。よく車で移動する人にとっては、非常に有利な工具である。しかし、車両においてノートパソコンを操作しようとしたら、ノートパソコンを上腿の上面に置いて操作することができるが、これでは、利用者にとって、脚が少しでも動くと、ノートパソコンが揺動されることになり、操作の使い勝手が悪くなる。また、車内の空間は限られていることから、長時間に使用すると、脚を伸ばすことができない場合には、脚部に負担をかかってしまうため、車内のノートパソコンの使用は不適切なことである。したがって、車内におけるディスプレイの取付けはすでに一般の形態としてされた場合には、車内において直接にパソコンを操作する手段を如何に組み立てることは、当業者にとって解決すべき課題である。
【考案の開示】
【考案が解決しようとする課題】
【０００３】
本考案の主な目的は、車両用コンピュータのキーボードを提供することにより、車内の中央制御部の上側にディスプレイが取り付けられ、その下方にはコンピュータ本体のスイッチが設置されると共に、キーボードが併設され、これによって、ディスプレイは、GPSナビゲーション及び映画を観ることや音楽を聴くことという機能以外、パソコンのディスプレイとしてもよく、その用途の広がりを図り、且つ、車両においてより便利かつ快適に、人がパソコンを操作することができることである。
【考案の効果】
【０００４】
上述の車両用コンピュータのキーボードは、ハンドルの中央部、グローブボックスの上側、グローブボックスの蓋体、または背もたれ部に装着できるため、車内の運転者や乗客は本体を起動してから、各種のパソコンの操作をすることができる。
【考案を実施するための最良の形態】
【０００５】
本考案に係る構造および奏する作用・効果をより容易に理解されるために、以下に図面と共に説明する。
【０００６】
まずは、図２に参照すれば、車両２の中央制御部21にディスプレイ22が取り付けられ、その下方にパソコン本体のスイッチ23が設置され、また、パソコン本体が小型化できる場合においては、荷物ケースや座席の下方のスペース、又は、直接にディスプレイ22の下方に設置してもよい。本考案では、主に、キーボード3をハンドル24の中央部に設置し、又は、図3に示すように、運転席の隣の助席の前方にあるグローブボックス25の上方に設置しており、かつ、キーボード3は、通常、外側へ張り出してスペースの占用により不便とならないように、または車内2内部の見栄えを悪くさせないように、出し入れ自在な状態となっている。又は、図4に示す如く、キーボード3をグローブボックス25の蓋体26の内面側に取り付ける。かくして、通常グローブボックス25が閉められた場合には、蓋体26の閉合により、キーボード3がグローブボックス25に隠されることになり、そのため、同様に、車両2の内部の見栄えを悪くすることがない。また、通常は不注意で当接されて壊されることもない。または、図5に示すように、背もたれの背面に凹設されたスペース（以下、凹設スペースという）を設け、通常キーボード3が背もたれ内に隠されるように、この凹設スペースに収納・展開自在なキーボード3を設置し、そして、この凹設スペースの端面にディスプレイを取り付けている。そのため、キーボード3が外部に露出して車両2内部の見栄えに影響を与えない。上述のキーボード3は回路を介してパソコンの本体に接続することができるが、無線で伝送することも考えられる。
【０００７】
本考案は、車両2にキーボード3を設置していることから、普段、車内のディスプレイ22は、映画の観賞や音楽の聴くこと、またはGPSナビゲーションとして使用できることに加え、必要に応じて、パソコン本体のスイッチをオンにしてから、キーボード3を介して操作し、例えば、文書整理やメールの受送信等の各種のパソコンの機能を使えることになる。また、キーボード3はハンドル24、グローブボックス25の上方、グローブボックス25の蓋体26の内面側又は背もたれの背面に設置することができるため、運転席、又は隣の助席、又は後方側の席において、いずれに着席すれば操作ができる。ディスプレイ22の用途の広がりを図ることができるにのみならず、操作者が、ノートパソコンを上腿に置いて使う場合のようにスペースや移動について制限されることなく、自由に手足を伸ばすことができ、使用上ではより便利になると共に、使用中において、更に快適となった。よく車で移動する者にとって、必要な時は、車を道路の安全箇所に停めることに足り、パソコン操作をすることができる。または、長時間停車する時に、パソコンを起動して仕事をしたり、ゲームを遊んだりして時間を費やすことができるため、時間を有効に使えることになる。
【０００８】
以上により、本考案の構造は未だ公開されておらず、確実に、用途の広がりおよび便利性と快適性を図ることができ、新規性と進歩性を有し、実用新案登録の要件に満たしていることから、ここに法令に基づき実用新案登録出願をする。
【図面の簡単な説明】
【０００９】
【図１】公知の斜視図
【図２】本考案の良好な実施例の斜視図
【図３】本考案の別の良好な実施例の斜視図
【図４】本考案のまた別の良好な実施例の斜視図
【図５】本考案のさらに別の良好な実施例の斜視図
【符号の説明】
【００１０】
1      車両
11     中央制御部
12     ディスプレイ
2      車両
21     中央制御部
22     ディスプレイ
23     パソコン本体のスイッチ
24     ハンドル
25     グローブボックス
26     蓋体
3      キーボード
【図１】
0003135382.tif 000003
【図２】
0003135382.tif 000004
【図３】
0003135382.tif 000005
【図４】
0003135382.tif 000006
【図５】
0003135382.tif 000007